(57)【要約】【課題】本発明は、カードの所有者又は保有者の属性に応じたデータの表示が可能な、データ表示システム、データ表示方法、外部通信端末並びに表示機能付非接触通信媒体を提供することを目的としている。【解決手段】表示用データを表示可能な表示機能付非接触通信媒体であって、少なくとも、固有情報を記憶する記憶手段、固有情報を外部通信端末に送信する手段、外部通信端末より固有情報に対応する表示用データを取得する手段、表示部に取得した表示用データを表示する手段を備えることを特徴とする表示機能付非接触通信媒体。【選択図】図１
2014211740.tif 000002
【特許請求の範囲】
【請求項１】
少なくとも表示用データを保持する外部通信端末と、外部通信端末から送信された表示用データを表示可能な表示機能付非接触通信媒体を有するデータ表示システムであって、
表示機能付非接触通信媒体は、固有情報を記憶する記憶手段、固有情報を外部通信端末に送信する手段、外部通信端末より固有情報に対応する表示用データを取得する手段、表示部に取得した表示用データを表示する手段を備え、
外部通信端末は、表示機能付非接触通信媒体から固有情報を受信する手段、表示機能付非接触通信媒体の固有情報に対応する表示用データを記憶する記憶手段、受信した表示機能付非接触通信媒体の固有情報から表示用データを検索する手段、検索した結果該当する表示用データが存在する場合に表示用データを取得する手段、取得した表示用データを表示機能付非接触通信媒体へ送信する手段、を備える、
ことを特徴とするデータ表示システム。
【請求項２】
前記表示用データを記憶する記憶手段が、外部通信端末に接続された外部記憶手段からなることを特徴とする請求項２に記載のデータ表示システム。
【請求項３】
前記表示機能付非接触通信媒体が一時記憶手段を備え、
前記取得した表示用データが一時記憶手段に保存されることを特徴とする請求項１または２に記載のデータ表示システム。
【請求項４】
外部通信端末より固有情報に対応する表示用データを取得できなかった場合、表示部にエラー表示を表示することを特徴とする請求項１〜３のいずれかに記載のデータ表示システム。
【請求項５】
前記外部通信端末を複数備え、
前記表示用データを記憶する記憶手段が、表示機能付非接触通信媒体の固有情報と外部通信端末の固有情報に対応した表示用データが記憶されており、
前記受信した表示機能付非接触通信媒体の固有情報から表示用データを検索する手段が、表示機能付非接触通信媒体の固有情報と、表示機能付非接触通信媒体と通信を開始した外部通信端末の固有情報から表示用データを検索することを特徴とする請求項１〜４のいずれかに記載のデータ表示システム。
【請求項６】
前記表示用データを記憶する記憶手段が、表示機能付非接触通信媒体の固有情報と通信時の時間に対応した表示用データが記憶されており、
前記表示用データを検索する手段が、通信時の時間と受信した表示機能付非接触通信媒体の固有情報から表示用データを検索することを特徴とする請求項１〜５のいずれかに記載のデータ表示システム。
【請求項７】
前記表示用データを記憶する記憶手段に記憶されている表示機能付非接触通信媒体の固有情報に対応した表示用データの状態が、既読状態か未読状態を示す情報を有することを特徴とする請求項１〜６のいずれかに記載のデータ表示システム。
【請求項８】
前記表示用データを記憶する記憶手段に記憶されている表示機能付非接触通信媒体の固有情報に対応した表示用データが、表示用データ毎に優先度情報を有することを特徴とする請求項１〜７のいずれかに記載のデータ表示システム。
【請求項９】
少なくとも表示機能付非接触通信媒体の固有情報に対応した表示用データを保持する外部通信端末と、表示機能付非接触通信媒体を用いて、外部通信端末から送信された表示用データを表示機能付非接触通信媒体で表示するデータ表示方法であって、
外部通信端末が、表示機能付非接触通信媒体に記憶されている固有情報を取得するステップと、
外部通信端末が備える検索手段により、取得した表示機能付非接触通信媒体の固有情報に対応した表示用データを検索するステップと、
該検索するステップで該当する表示用データが存在する場合に該表示用データを取得するステップと、
取得した表示用データを表示機能付非接触通信媒体に送信するステップと、
取得した表示用データを表示機能付非接触通信媒体で表示するステップと
を有することを特徴とするデータ表示方法。
【請求項１０】
前記表示用データを検索するステップで該当する表示用データが存在しなかった場合、外部通信端末から表示機能付非接触通信媒体にエラー情報を送信することを特徴とする請求項９に記載のデータ表示方法。
【請求項１１】
表示用データを表示可能な表示機能付非接触通信媒体であって、
少なくとも、固有情報を記憶する記憶手段、固有情報を外部通信端末に送信する手段、外部通信端末より固有情報に対応する表示用データを取得する手段、表示部に取得した表示用データを表示する手段を備えることを特徴とする表示機能付非接触通信媒体。
【請求項１２】
一時記憶手段を備え、
前記取得した表示用データが一時記憶手段に保存されることを特徴とする請求項１１に記載の表示機能付非接触通信媒体。
【請求項１３】
外部通信端末より固有情報に対応する表示用データを取得できなかった場合、表示部にエラー表示を表示することを特徴とする請求項１１または１２に記載の表示機能付非接触通信媒体。
【請求項１４】
表示用データを表示可能な表示機能付非接触通信媒体に表示用データを送信可能な外部通信端末であって、
該外部通信端末は、表示機能付非接触通信媒体から固有情報を受信する手段、表示機能付非接触通信媒体の固有情報に対応する表示用データを記憶する記憶手段、受信した表示機能付非接触通信媒体の固有情報から表示用データを検索する手段、検索した結果該当する表示用データが存在する場合に表示用データを取得する手段、取得した表示用データを表示機能付非接触通信媒体へ送信する手段、を備える、
ことを特徴とする外部通信端末。
【請求項１５】
前記表示用データを記憶する記憶手段が、外部通信端末に接続された外部記憶手段からなることを特徴とする請求項１４に記載の外部通信端末。
【発明の詳細な説明】
【技術分野】
【０００１】
本発明は、外部通信端末と表示部を有するＩＣカードなどの表示機能付非接触通信媒体、それを用いたデータ表示システム、データ表示方法に関する。
【背景技術】
【０００２】
従来、入退出などのＩＤ管理、決済関連、交通関連又は電子マネーなどにおいてＩＣカードが用いられている。また在庫管理、トレーサビリティなどのＩＤ管理等ではＩＣタグ（ＲＦＩＤタグ）が用いられている。
これらのＩＣカード、ＩＣタグは通常表示機能を有していないため、例えば電子マネーの残高などの情報を見ることができなかった。また、リーダー／ライターから送信されるデータを表示することもできなかった。
【０００３】
一方、表示デバイスとしては、液晶表示デバイスや電子ペーパー等が知られている。電子ペーパーは情報書換え時のみ電力を必要とするが、表示情報を書換える際に電力が必要なことからバッテリー搭載型が主流である。液晶表示デバイスは、表示に電力を要するためバッテリー搭載型が主流である。
【０００４】
近年表示機能付のＩＣカードが注目されてきており、例えば特許文献１には、カード内データを表示可能な表示部を有するＩＣカードが知られている。また、特許文献２には、リーダー／ライター等の外部端末と通信した際にデータの更新が可能な表示部を有するＩＣカードが知られている。
【０００５】
これらの表示機能付ＩＣカードは、例えば工場内での工程管理などでの活用が見込まれている。そして、工場内の工程管理において、例えば職位に応じて開示する情報を変えるなどの要望があるが、上述の表示機能付ＩＣカードでは一律に同じ情報しか表示することができない。すなわち、カード保有者の属性に応じた表示をすることができない、という問題点がある。
【先行技術文献】
【特許文献】
【０００６】
【特許文献１】特開平１０−１５４２１５
【特許文献２】特開２００３−１５７４１４
【発明の概要】
【発明が解決しようとする課題】
【０００７】
上記事情に鑑み、本発明は、カードの所有者又は保有者の属性に応じたデータの表示が可能なデータ表示システム、データ表示方法、外部通信端末並びに表示機能付非接触通信媒体を提供することを目的としている。
【課題を解決するための手段】
【０００８】
本発明は、少なくとも表示用データを保持する外部通信端末と、外部通信端末から送信された表示用データを表示可能な表示機能付非接触通信媒体を有するデータ表示システムであって、表示機能付非接触通信媒体は、固有情報を記憶する記憶手段、固有情報を外部通信端末に送信する手段、外部通信端末より固有情報に対応する表示用データを取得する手段、表示部に取得した表示用データを表示する手段を備え、外部通信端末は、表示機能付非接触通信媒体から固有情報を受信する手段、表示機能付非接触通信媒体の固有情報に対応する表示用データを記憶する記憶手段、受信した表示機能付非接触通信媒体の固有情報から表示用データを検索する手段、検索した結果該当する表示用データが存在する場合に表示用データを取得する手段、取得した表示用データを表示機能付非接触通信媒体へ送信する手段、を備える、ことを特徴とするデータ表示システムとする。
【０００９】
また、表示用データを記憶する記憶手段が、外部通信端末に接続された外部記憶手段からなることを特徴とする。
【００１０】
また、表示機能付非接触通信媒体が一時記憶手段を備え、取得した表示用データが一時記憶手段に保存されることを特徴とする。
【００１１】
また、外部通信端末より固有情報に対応する表示用データを取得できなかった場合、表示部にエラー表示を表示することを特徴とする。
【００１２】
また、外部通信端末を複数備え、表示用データを記憶する記憶手段が、表示機能付非接触通信媒体の固有情報と外部通信端末の固有情報に対応した表示用データが記憶されており、受信した表示機能付非接触通信媒体の固有情報から表示用データを検索する手段が、表示機能付非接触通信媒体の固有情報と、表示機能付非接触通信媒体と通信を開始した外部通信端末の固有情報から表示用データを検索することを特徴とする。
【００１３】
また、表示用データを記憶する記憶手段が、表示機能付非接触通信媒体の固有情報と通信時の時間に対応した表示用データが記憶されており、表示用データを検索する手段が、通信時の時間と受信した表示機能付非接触通信媒体の固有情報から表示用データを検索することを特徴とする。
【００１４】
また、表示用データを記憶する記憶手段に記憶されている表示機能付非接触通信媒体の固有情報に対応した表示用データの状態が、既読状態か未読状態を示す情報を有することを特徴とするとする。
【００１５】
また、表示用データを記憶する記憶手段に記憶されている表示機能付非接触通信媒体の固有情報に対応した表示用データが、表示用データ毎に優先度情報を有することを特徴とするとする。
【００１６】
また、少なくとも表示機能付非接触通信媒体の固有情報に対応した表示用データを保持する外部通信端末と、表示機能付非接触通信媒体を用いて、外部通信端末から送信された表示用データを表示機能付非接触通信媒体で表示するデータ表示方法であって、外部通信端末が、表示機能付非接触通信媒体に記憶されている固有情報を取得するステップと、外部通信端末が備える検索手段により、取得した表示機能付非接触通信媒体の固有情報に対応した表示用データを検索するステップと、検索するステップで該当する表示用データが存在する場合に該表示用データを取得するステップと、取得した表示用データを表示機能付非接触通信媒体に送信するステップと、取得した表示用データを表示機能付非接触通信媒体で表示するステップとを有することを特徴とする。
【００１７】
また、表示用データを検索するステップで該当する表示用データが存在しなかった場合、外部通信端末から表示機能付非接触通信媒体にエラー情報を送信することを特徴とする。
【００１８】
また、表示用データを表示可能な表示機能付非接触通信媒体であって、少なくとも、固有情報を記憶する記憶手段、固有情報を外部通信端末に送信する手段、外部通信端末より固有情報に対応する表示用データを取得する手段、表示部に取得した表示用データを表示する手段を備えることを特徴とする。
【００１９】
また、一時記憶手段を備え、前記取得した表示用データが一時記憶手段に保存されることを特徴とする。
【００２０】
また、外部通信端末より固有情報に対応する表示用データを取得できなかった場合、表示部にエラー表示を表示することを特徴とする。
【００２１】
また、表示用データを表示可能な表示機能付非接触通信媒体に表示用データを送信可能な外部通信端末であって、該外部通信端末は、表示機能付非接触通信媒体から固有情報を受信する手段、表示機能付非接触通信媒体の固有情報に対応する表示用データを記憶する記憶手段、受信した表示機能付非接触通信媒体の固有情報から表示用データを検索する手段、検索した結果該当する表示用データが存在する場合に表示用データを取得する手段、取得した表示用データを表示機能付非接触通信媒体へ送信する手段、を備える、ことを特徴とする外部通信端末とする。
【００２２】
また、表示用データを記憶する記憶手段が、外部通信端末に接続された外部記憶手段からなることを特徴とする。
【発明の効果】
【００２３】
本発明に寄れば、カードの所有者又は保有者の属性に応じたデータの表示が可能な表示機能付非接触通信媒体及びデータ表示システムを提供することができる。
【図面の簡単な説明】
【００２４】
【図１】本発明の表示機能付非接触通信媒体の構成の一例を示す説明図である。
【図２】本発明のデータ表示システムの一例を示す説明図である。
【図３】本発明のデータ表示システムの一例を示す説明図である。
【図４】本発明のデータ表示システムの一例を示す説明図である。
【図５】本発明のデータ表示システムの一例を示す説明図である。
【図６】本発明のデータ表示システムを用いたデータ表示の流れの一例を示す図である。
【図７】本発明のデータ表示システムを用いたデータ表示の流れの一例を示す図である。
【発明を実施するための形態】
【００２５】
以下、本発明について、表示機能付非接触通信媒体として表示機能付非接触ＩＣカードを用いた例で、図面を用いながら説明する。
図１は本発明の表示機能付非接触通信媒体の構成の一例を示す説明図である。
図２、図３、図４、図５は本発明の表示機能付非接触通信媒体を用いたデータ表示システムの一例を示す説明図である。
図１において、表示機能付非接触ＩＣカード１は、制御部１１、通信部１２、記憶部１３、一時記憶部１４、表示制御部１５、表示部１６などを備える。
【００２６】
制御部１１は表示機能付非接触ＩＣカードの動作を制御する。具体的には、例えばＲ／Ｗなどの外部通信端末２から送信されるコマンドに応じて、記憶部に記憶されているプログラムに従った動作を制御する。
通信部１２は、制御部１１の指示に従い、外部通信端末２との間で無線信号の送受信を行う。この無線信号の送受信を用いて外部通信端末２にデータを送受信できる。具体的には制御素子に接続された送受信用のアンテナ素子を用いてデータの送受信を行うことができる。また、データとしては、表示部で表示する表示用データがあげられる。無線信号の送受信には、例えば、１３．５６ＭＨｚ帯の電波を用いることができるがこれに限られるものではない。
【００２７】
記憶部１３は、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性の半導体メモリなどの記憶装置を用いて構成される。記憶部１３は、プログラム、アプリケーションプログラム、アプリケーションデータや各種データが記憶されている。
表示機能付非接触通信媒体には、固有情報（固有ＩＤ、ＵＩＤ）が記録されているが、この固有情報（固有ＩＤ、ＵＩＤ）は記憶部に記憶しておくことができる。
また、外部通信端末から送信された表示用データを保存しておくこともできる。
【００２８】
一時記憶部１４は、ＲＡＭ（Ｒａｎｄｏｍ  Ａｃｃｅｓｓ  Ｍｅｍｏｒｙ）などの揮発性メモリなどの記憶装置を用いて構成される。一時記憶部１４は、外部通信端末２との通信過程や演算過程で一時的に生成されるデータを記憶することができる。
また、外部通信端末から送信された表示用データを一時的に保存しておくこともできる。
【００２９】
表示制御部１５は、表示部１６でのデータの表示などを制御する。具体的には、制御部１１の指示に従い、必要なデータを表示部で表示させる。
また、制御部１１と表示制御部１５は一体となっていてもよい。すなわち、制御部１１が表示部の制御機能を有していてもよい。
【００３０】
表示部１６は、表示制御部１５の指示に従い、データ等の情報を表示する。
表示部としては、例えば、電気泳動、強誘電液晶、コレステリック液晶等の電子ペーパー、エレクトロクロミック液晶等を用いることができる。中でも電子ペーパーは、表示の切替時以外は電力を必要としないため、外部通信端末２との通信の際に供給される電力でデータの表示が可能なため、バッテリーを設けなくても使用できるため好ましい。
表示部は、表示機能付非接触ＩＣカード１の外部に表示面が露出して配置することができる。また、表示部の大きさは用途に応じて任意に設定でき、カード全面に大きく設けることもできるし、右上等の任意の位置に小さく設けることもできる。
【００３１】
外部通信端末２は、表示機能付非接触ＩＣカード１との間で無線信号の送受信を行う。この無線信号の送受信を用いて表示用データ等のデータやコマンドを送受信できる。具体的には制御素子に接続された送受信用のアンテナ素子を用いてデータの送受信を行うことができる。
外部通信端末２には、予め表示機能付非接触ＩＣカード１に送信する表示用データを記憶させておくことができる。表示用データの記憶は、ハードディスク、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性の半導体メモリなどの記憶装置や、ＲＡＭ（Ｒａｎｄｏｍ  Ａｃｃｅｓｓ  Ｍｅｍｏｒｙ）などの揮発性メモリなどの記憶装置を用いることができる。
また、表示機能付非接触ＩＣカード１のＵＩＤと表示用データＮｏ、表示用データを保存してある場所を対応させた紐付けデータ記憶させておくことができる。この紐付けデータは例えば図２に示すように、表形式で記憶させてもよいし、テキストデータで記憶させることもできる。
【００３２】
また、図示しないが、外部通信端末２には、制御部等を有する。制御部では、通信を制御したり、表示機能付非接触ＩＣカード１のＵＩＤと前述の紐付けデータから表示用データを検索したりすることができる。
【００３３】
また、外部通信端末は、外部記憶手段を備えることができ、表示用データや紐付けデータは、外部記憶手段に記憶させることができる。例えば、図３、図４、図５に示すように、外部通信端末２に接続されたデータサーバ３等の外部記憶手段に表示用データ、紐付けデータを記憶させおいてもよい。外部通信端末は作業現場などに配置される可能性があり、外部記憶手段はデータセンターなどに配置される可能性がある。そのため、外部記憶手段に記憶する場合、作業現場に配置される外部通信端末２のデータの管理・更新をするより、データセンターなどに配置される外部記憶手段に表示用データを記憶し、管理・更新する方が効率的である。特に、外部通信端末２を複数用いる場合、複数の外部通信端末を介して表示機能付非接触ＩＣカードに送信する表示用データを外部記憶手段で一括管理できるため好ましい。
また、外部通信端末２は時計を内蔵させておくことができる。時計を内蔵させることで、時間に応じた表示用データの送信が可能となる。なお、外部記憶手段として、データサーバの代わりに外部通信端末２に接続された記憶部を有するパソコンなどの端末を用いてもよい。
なお、外部記憶手段で表示機能付非接触ＩＣカード１のＵＩＤと前述の紐付けデータから表示用データを検索させてもよい。
【００３４】
表示用データは、表示機能付非接触ＩＣカード１の固有情報（固有ＩＤ、ＵＩＤ）に対応させて記憶させておくことができる。このようにすることで、表示用データ毎に開示制限をかけることができる。
例えば、図２において、Ａさんが保有する表示機能付非接触ＩＣカードは固有情報として「００１」を有し、Ｂさんが保有する表示機能付非接触ＩＣカードは固有情報として「００２」を有する。そして外部通信端末２には、表示用データが、表示機能付非接触ＩＣカードは固有情報毎に、表示用データのＮｏ、表示用データが記憶されている場所などが紐付けられて記憶されている。
そのため、外部通信端末から表示機能付非接触ＩＣカードに表示用データを送信する際、外部通信端末は送信先の表示機能付非接触ＩＣカードの固有情報に応じたデータを送信できる。すなわち、表示機能付非接触ＩＣカードを保有するものの属性（例えば職位、階級、所属、年齢等）によって、開示できるデータを変えたりすることができる。具体的な適用例としては、例えば、作業員は作業指示書のデータのみ確認することができ、監督者は生産効率等のデータを確認できるようにすることができる。
なお、表示用データは作成された日時や保存された日時を記憶しておいてもよい。
【００３５】
また、図３に示すように、表示用データが、表示機能付非接触ＩＣカードは固有情報毎に、時間、表示用データのＮｏ、表示用データが記憶されている場所などが紐付けられて記憶されていてもよい。ここで、時間は、表示機能付非接触ＩＣカードと外部通信端末又は外部記憶手段と通信を開始した時間を用いることができる。
このようにすることで、外部通信端末から表示機能付非接触ＩＣカードに表示用データを送信する際、外部通信端末は、通信開始時の時刻において許可されている送信先の表示機能付非接触ＩＣカードの固有情報に応じたデータを送信できる。
【００３６】
また、図４に示すように、表示用データが、表示機能付非接触ＩＣカードは固有情報毎に、表示用データのＮｏ、表示用データが記憶されている場所、アクセス条件の要否、アクセス要の際のアクセス条件などが紐付けられて記憶されていてもよい。
このようにすることで、外部通信端末から表示機能付非接触ＩＣカードに表示用データを送信する際、単独では開示許可がされていない表示機能付非接触ＩＣカードの固有情報に対応したデータでも、一定の条件を満たすことで上記表示機能付非接触ＩＣカードに対してデータを送信できる。この例では例えば、固有情報００２の表示機能付非接触ＩＣカードを保有するものは、単独では表示用データ００１１に対し、アクセス条件が要（図４においては「１」）となっているため、アクセス条件を満たさないとを見る権限がない。しかし、アクセス条件として設定されている同行ＵＩＤと制限時間を満たす場合、すなわち固有情報００１を有する表示機能付非接触ＩＣカードと外部通信端末が通信してから５分以内であれば、固有情報００２を有する表示機能付非接触ＩＣカードに対しても表示用データ００１１を見る許可が与えられる。
追加条件としては、同行Ｎｏと制限時間の例で示したがこれに限るものではない。
【００３７】
また、データサーバ３に表示用データを格納する場合、図５に示すように、表示用データが、表示機能付非接触ＩＣカードは固有情報毎に、外部通信端末ＩＤ、表示用データのＮｏ、表示用データが記憶されている場所を紐付けておくことができる。
このようにすることで、同じデータでも特定の外部通信端末と通信した際にのみ表示機能付非接触ＩＣカードで表示可能とすることや、特定の外部通信端末と通信した際には表示機能付非接触ＩＣカードで表示不能とすることができる。
【００３８】
また、本発明では、図５に示すように、表示用データが、表示機能付非接触ＩＣカードは固有情報毎に、表示用データのＮｏ、表示用データが記憶されている場所、既読未読、優先度、ページ情報などを紐付けておくことができる。
なお、端末ＩＤとの紐付けや、上述の開示可能な時間、既読未読情報、優先順位、ページ情報との紐付け、追加Ｎｏ、追加条件との紐付けは、適宜組み合わせることができる。
【００３９】
次にデータの表示の流れについて説明する。
図６は、表示機能付非接触通信媒体を用いたデータ表示の流れの一例を示す図である。
なお、図６の例では、表示用データ、紐付けデータは、外部通信端末２に保存されている。
まず、外部通信端末２と表示機能付非接触ＩＣカード１の間で相互認証を行う。この相互認証に成功する（Ｙの場合）と通信が確立される。なおこの時、表示機能付非接触ＩＣカード１から外部通信端末２に固有情報（ＵＩＤ）が渡される（ステップＳ００１）。
【００４０】
ステップＳ００１において、相互認証に失敗する（Ｎの場合）と、外部通信端末２と表示機能付非接触ＩＣカード１にエラーが通知される（ステップＳ００２）。エラーとなった場合は、終了するか、一定時間後に再度相互認証を試みることができる。
また、表示機能付非接触ＩＣカード１の表示部でエラー表示をさせることもできる。
【００４１】
ステップＳ００１において、認証が成功すると、外部通信端末２では、受け取った表示機能付非接触ＩＣカード１の固有情報（ＵＩＤ）から、外部通信端末２のデータベース（紐付けデータ）を検索する（ステップＳ００３）。
【００４２】
ステップＳ００３で、この固有情報（ＵＩＤ）が表示可能なデータが検出された場合（Ｙの場合）、データが格納されている場所に表示用データを取得しに行く（ステップＳ００４）。
なお、この時、固有情報（ＵＩＤ）に対応する表示用データが複数検出された場合、全てを取得、作成された日時が最新の表示用データや直近に作成された一定数の表示用データを取得、又は、一定期間内に作成又は保存された表示用データを全て取得することができる。
また、図５に示すように既読未読が設定されている場合は未読状態の表示用データを優先的に取得してもよい。また、優先度が設定されている場合、優先度の高い表示用データを優先的に取得してもよい。また、複数ページに跨る表示用データの場合、まとめて取得することができる。
【００４３】
ステップＳ００３で、この固有情報（ＵＩＤ）に表示用データが検出されなかった場合（Ｎの場合）、外部通信端末２から表示機能付非接触ＩＣカード１にエラー情報を送信することができる。表示機能付非接触ＩＣカード１では、エラー受信（ステップＳ００５）した際に、表示部に「エラー」、「表示用データなし」などのエラー表示をすることができる。
【００４４】
ステップＳ００４で、表示機能付非接触ＩＣカード１で表示用データを取得したら、表示用データを表示機能付非接触ＩＣカード１に送信する（ステップＳ００６）。
表示機能付非接触ＩＣカード１は表示用データを受信したら（ステップＳ００７）、表示部で表示用データを表示する（ステップＳ００８）。
表示用データの表示は、制御部１１の指示に基づく表示制御部１５により表示部を駆動させて行う。
なお、表示するデータが複数ある場合、画面を分割して複数表示してもよいし、画面を切り替えることで複数表示させてもよい。
【００４５】
ステップＳ００７で取得した表示用データは、記憶部１３又は一時記憶部１４に保存される。
なお、セキュリティなどのことを考慮すると、表示機能付非接触ＩＣカード１で受信した表示用データは、一時記憶部１４に保存されることが好ましい。一時記憶部１４に保存することで、電力が遮断された場合に自動的に消去えきるため、情報の漏洩を防ぐことができる。
記憶部１３に保存される場合は、電力を遮断した後も保持されるが、容量が一定の量に達した時、又は一定期間経過後に古い順に削除することができる。
また、予め表示機能付非接触ＩＣカード１の固有情報（ＵＩＤ）毎に保存する場所を記憶部１３、一時記憶部１４のどちらにするか決めておくこともできる。例えば、一定の権限を有するものが保有する表示機能付非接触ＩＣカード１では、記憶部に保存させることができ、権限のないものについては一時記憶部に記憶させるなどである。
これらは、表示機能付非接触ＩＣカードのプログラムで制御してもよいし、外部通信端末に、固有情報（ＵＩＤ）毎に記憶部に保存するか一時記憶部に保存するかを設定しておき、データ送信時に保存場所を合わせて指示することで制御してもよい。
【００４６】
次にデータの表示の流れについて他の例で説明する。
図７は、表示機能付非接触通信媒体を用いたデータ表示の流れの一例を示す図である。
なお、図７の例では、表示用データは、データサーバ３に保存されている。なおデータサーバ３以外のパソコンなどに記憶されている場合も同様の流れとなる。
まず、外部通信端末２と表示機能付非接触ＩＣカード１の間で相互認証を行う。この相互認証に成功する（Ｙの場合）と通信が確立される。なおこの時、表示機能付非接触ＩＣカード１から外部通信端末２に固有情報（ＵＩＤ）が渡される（ステップＳ００１）。
なお、外部通信端末を介してカードとサーバが相互認証を行うこともできる。
【００４７】
ステップＳ００１において、相互認証に失敗する（Ｎの場合）と、外部通信端末２と表示機能付非接触ＩＣカード１にエラーが通知される（ステップＳ００２）。エラーとなった場合は、終了するか、一定時間後に再度相互認証を試みることができる。
また、表示機能付非接触ＩＣカード１の表示部でエラー表示をさせることもできる。
【００４８】
ステップＳ００１において、認証が成功すると、外部通信端末２では、受け取った表示機能付非接触ＩＣカード１の固有情報（ＵＩＤ）を含むカード情報をデータサーバ３に送信する（ステップＳ００３）。
なお、カードとサーバが直接相互認証を行う場合は、相互認証時にデータサーバへ表示機能付非接触ＩＣカード１の固有情報（ＵＩＤ）を含むカード情報を送信することができる。
【００４９】
データサーバ３では、カード情報を受信した（ステップＳ００４）ら、表示機能付非接触ＩＣカード１の固有情報（ＵＩＤ）に対応する表示用データについて、データベース（紐付けデータ）を検索する（ステップＳ００５）。
【００５０】
ステップＳ００５で、この固有情報（ＵＩＤ）が表示可能なデータが検出された場合（Ｙの場合）、表示用データが格納されている場所に表示用データを取得しに行く（ステップＳ００９）。
なお、この時、固有情報（ＵＩＤ）に対応する表示用データが複数検出された場合、全てを取得、作成された日時が最新の表示用データや直近に作成された一定数の表示用データを取得、又は、一定期間内に作成又は保存された表示用データを全て取得することができる。
また、図５に示すように既読未読が設定されている場合は未読状態の表示用データを優先的に取得してもよい。また、優先度が設定されている場合、優先度の高い表示用データを優先的に取得してもよい。また、複数ページに跨る表示用データの場合、まとめて取得することができる。
なお、ここではデータサーバで検索をした例を示しているが、外部通信端末からデータサーバに検索をしにいってもよい。
【００５１】
ステップＳ００５で、この固有情報（ＵＩＤ）に表示用データが検出されなかった場合（Ｎの場合）、データサーバ３から外部通信端末２にエラー情報を送信することができる（ステップＳ００６）。そして外部通信端末２から表示機能付非接触ＩＣカード１にエラー情報を送信することができる（ステップＳ００７）。表示機能付非接触ＩＣカード１では、エラー受信（ステップＳ００８）した際に、表示部に「エラー」、「表示可能なデータなし」などのエラー表示をすることができる。
【００５２】
ステップＳ００９で、表示機能付非接触ＩＣカード１で表示する表示用データを取得したら、表示用データを外部通信端末２に送信する（ステップＳ０１０）。
外部通信端末２は表示用データを受信したら（ステップＳ０１１）、受信した表示用データを表示機能付非接触ＩＣカード１に送信する（ステップＳ０１２）。表示機能付非接触ＩＣカード１では、表示用データを受信したら表示部で表示する（ステップＳ０１３、ステップＳ０１４）。
なお、表示するデータが複数ある場合、画面を分割して複数表示してもよいし、画面を切り替えることで複数表示させてもよい。
表示用データの表示は、制御部１１の指示に基づく表示制御部１５により表示部を駆動させて行う。
なお、ステップＳ０１３で取得した表示用データは、上述したように記憶部１３又は一時記憶部１４に保存することができる。
【００５３】
なお、図６ステップＳ００３、図７ステップＳ００５における表示用データの検索において、図３のように、時間に応じて表示用データが変化する場合、通信開始時間と表示機能付非接触ＩＣカード１の固有情報（ＵＩＤ）から表示用データを検索することができる。
また、図４のようにアクセス条件が設定されている場合、表示機能付非接触ＩＣカード１の固有情報（ＵＩＤ）で開示可能な表示用データについて、条件が設定されていない場合（図４においては「０」）は当該表示用データを表示可能なデータとして取得し、条件が設定されている場合（図４においては「１」）、条件を満たすか否かを判断し、条件を満たす場合には表示可能なデータとして取得することができる。
【００５４】
本発明の表示機能付非接触通信媒体は、工程管理などの分野で用いることができる他、アミューズメント分野などに用いてもよい。
【符号の説明】
【００５５】
１・・・・表示機能付非接触ＩＣカード
１１・・・制御部
１２・・・通信部
１３・・・記憶部
１４・・・一時記憶部
１５・・・表示制御部
１６・・・表示部
２・・・・外部通信端末
３・・・・データサーバ
【図１】
2014211740.tif 000003
【図２】
2014211740.tif 000004
【図３】
2014211740.tif 000005
【図４】
2014211740.tif 000006
【図５】
2014211740.tif 000007
【図６】
2014211740.tif 000008
【図７】
2014211740.tif 000009